(57)【要約】ＣＤに保存された保険約款を提供するＣＤ保険約款を供給する方法を開示する。この方法では、契約時に被保険者に与えられる、対応する保険約款及び以前になされた保険約款がＣＤ上に保存される。この方法は、約款提供ウェブサーバの保険データベースに、保険会社から提供された保険約款を格納するステップと、関連する保険会社、各保険会社の各保険の種類、各保険会社の各主な保険、及び各保険会社の各複合保険を格納し、被保険者に関連する保険約款を提供するために、各保険会社を設立するステップと、被保険者が約款提供ウェブサーバにアクセスし、自らの保険約款を読むために、保険データベースを検索するステップとを含む。
2005518029.tif 000002
【特許請求の範囲】
【請求項１】
ＣＤ保険約款を供給する方法であって、
約款提供ウェブサーバと契約を結ぶ保険会社によって提供される保険約款を、前記約款提供ウェブサーバの保険データベースに格納するステップと、
各保険会社の各保険の種類、各保険会社の各主な保険、及び各保険会社の各複合保険に関する関連保険約款を格納し、被保険者に前記関連保険約款を提供するために、各保険会社を設立するステップと、
被保険者がインターネットを介して前記約款提供ウェブサーバにアクセスし、自らの対応する保険約款を読むために、前記保険データベースを検索するステップと、
を有することを特徴とするＣＤ保険約款を供給する方法。
【請求項２】
前記約款提供ウェブサーバが前記保険データベースの構築時に、被保険者データベースを構築するステップと、
保険会社端末からの新しい被保険者の個人情報の入力を通してＣＤ格納保険約款の作成が要求されるとき、該新しい被保険者が以前に別の保険に加入していたか否かを決定し、前記被保険者が以前に別の保険に加入していたならば、そのことを前記被保険者に提供するために、対応する新しい保険約款とともに前記別の保険約款をＣＤに格納するステップと、
前記約款提供ウェブサーバが、個人情報を有する前記被保険者が加入していた保険約款及び対応する保険の種類を前記保険データベース及び前記被保険者データベースにおいてそれぞれ検索し、前記被保険者がインターネットを介して前記約款提供ウェブサーバにアクセスし、前記個人情報を入力するときに、前記被保険者が前記保険約款及び前記対応する保険の種類を読むことができるようにそれらを出力するステップと、
を更に有する請求項１に記載のＣＤ保険約款を供給する方法。
【請求項３】
販売されていない保険の約款データベースを前記保険データベース内に別々に構築し、販売された保険の約款とともに、販売されていない保険の約款を提供するステップを更に有する請求項１又は２に記載のＣＤ保険約款を供給する方法。
【発明の詳細な説明】
【技術分野】
【０００１】
本発明は、一般に、種々の保険の一つを契約する際、被保険者に提供される保険約款を提供する方法に関し、より詳細には、対応する保険の約定の際に、対応する保険約款、あるいは、対応する保険会社又は別の保険会社で以前に作られた被保険者の保険約款とともに被保険者の保険約款をコンパクトディスクに格納するコンパクトディスクに格納された保険約款（ＣＤ格納保険約款）を提供し、インターネットを介してコンパクトディスクに格納された保険約款を読み取ることができる、ＣＤ保険約款を提供する方法に関する。
【背景技術】
【０００２】
一般に、保険会社は、保険約款の条件を被保険者に提供することを義務付けられている。従来、保険約款は、記録用紙に印刷された後、被保険者に提供されていた。保険約款は、保険約款の用語の説明、保険の解釈や保険の支払例、保険約定の有効性、保険支払の支払手続などの条件を含んでいる。
【０００３】
ところで、各保険会社は、１０〜３０種類の保険を開発し、販売している。各保険会社は、各保険の種類に関して１から３月前に販売された保険の量に対応する保険約款を印刷し、そして、その保険約款を提供している。特に、各保険会社は、それらの作成コストが高いので、およそ３月間に販売された保険の量に対応する、あまり販売されていない保険の印刷した保険約款を作成する。
【０００４】
保険の契約がより複雑になるにつれて、保険約款は、２，３００ページにも達し、保険約款の作成コストが増加するとともに、保険約款の所望する約款を調べるのが非常に不便になっている。
【０００５】
最近では、パーソナルコンピュータの普及やインターネットの開発で、各保険会社は、ウェブサイトを管理し、販売された保険約款をクライアントが読めるようなサービスを提供しているが、保険会社は、保険約款を提供する義務の履行とは異なり、保険約款を公表するサービスを提供している。
【０００６】
従来、保険業者が複数の保険を契約する場合、その保険業者は、各保険に関して個別の保険約款を提供していたという点で不便であった。また、約款（保険）がこれ以上販売されず、変更される場合、残存の保険約款を使用するのをやめ、望ましくない資源の浪費を招いてしまう。さらに、販売される保険の予想量が過小評価されているために作成された保険約款の数が少ない場合には、適当な時期に印刷された保険約款を提供することができない。また、印刷された保険約款の分類、貯蔵及び提供は、保険の種類に応じて、多くのスペースと労働を消費する。さらに、販売されていない保険約款は貯蔵されないが使用もされないので、既存の被保険者が約款を要求してもその約款を提供することができない点で、従来の体制には問題がある。
【０００７】
また、保険約款の用語が難しい法律の専門用語で記録される記録用紙の限界のため、保険約款の用語は被保険者に読まれ、理解されるよりもむしろ、無視される傾向にあり、保険約款は、被保険者に適切に用いられていない。
【発明の開示】
【課題を解決するための手段】
【０００８】
したがって、本発明は、先行技術で起こる上記の問題を踏まえてなされたものであり、本発明の目的は、対応する保険約款をＣＤに格納し、対応する保険が販売された際にＣＤに格納された対応する保険約款を提供する、コンパクトディスク（ＣＤ）に格納された保険約款を提供する方法を提供することにあり、より詳細には、対応する保険約款と同様に既存の保険約款をＣＤに格納するＣＤ格納保険約款を提供し、被保険者が対応する保険会社又は別の保険会社で以前に加入していた保険約款を有する場合、インターネットを介してＣＤ保険約款を読むことができ、それにより、被保険者が、ＣＤ格納保険約款及びインターネットを介して、加入しているすべての保険の約款を便利に格納及び確認することができるＣＤ保険約款を提供する方法を提供することにある。
【０００９】
上記目的を達成するために、本発明は、ＣＤ保険約款を供給する方法を提供する。本発明のＣＤ保険約款を供給する方法は、
約款提供ウェブサーバと契約を結ぶ保険会社によって提供される保険約款を、前記約款提供ウェブサーバの保険データベースに格納するステップと、
各保険会社の各保険の種類、各保険会社の各主な保険、及び各保険会社の各複合保険に関する関連保険約款を格納し、被保険者に前記関連保険約款を提供するために、各保険会社を設立するステップと、
被保険者がインターネットを介して前記約款提供ウェブサーバにアクセスし、自らの対応する保険約款を読むために、前記保険データベースを検索するステップと、
を有することを特徴とする。
【００１０】
また、本発明の他の実施形態によれば、本発明のＣＤ保険約款を供給する方法は、
前記約款提供ウェブサーバが前記保険データベースの構築時に、被保険者データベースを構築するステップと、
保険会社端末からの新しい被保険者の個人情報の入力を通してＣＤ格納保険約款の作成が要求されるとき、該新しい被保険者が以前に別の保険に加入していたか否かを決定し、前記被保険者が以前に別の保険に加入していたならば、そのことを前記被保険者に提供するために、対応する新しい保険約款とともに前記別の保険約款をＣＤに格納するステップと、
前記約款提供ウェブサーバが、個人情報を有する前記被保険者が加入していた保険約款及び対応する保険の種類を前記保険データベース及び前記被保険者データベースにおいてそれぞれ検索し、前記被保険者がインターネットを介して前記約款提供ウェブサーバにアクセスし、前記個人情報を入力するときに、前記被保険者が前記保険約款及び前記対応する保険の種類を読むことができるようにそれらを出力するステップと、
を更に有する。
【００１１】
また、本発明の更に他の実施形態によれば、本発明のＣＤ保険約款を供給する方法は、
販売されていない保険の約款データベースを前記保険データベース内に別々に構築し、販売された保険の約款とともに、販売されていない保険の約款を提供するステップを更に有する。
【発明を実施するための最良の形態】
【００１２】
以下、添付図面を参照して、本発明の構成及び作用を説明する。
図１は、一つのＣＤに格納される、保険約款、販売されている主な保険の約款又はすべての保険の約款を提供する方法を示すフローチャートである。
【００１３】
約款提供ウェブサーバのオペレータと契約している保険会社がオンラインあるいはオフラインで約款提供ウェブサーバにアクセスし、約款提供ウェブサーバからＣＤ格納保険約款の作成を要求すると、約款提供ウェブサーバのオペレータは、対応する保険約款を保険データベース（ＤＢ）に格納（保存）し、ＣＤ格納保険約款を作成するとともに、作成したＣＤ格納保険約款を保険会社に提供する。そのようなＣＤ格納保険約款は、販売されている各保険の約款が個別のＣＤに格納されるか、販売されている主な保険の約款が一つのＣＤに格納されるか、あるいは、販売されているすべての保険約款が一つのＣＤに格納されるように作成される。したがって、契約時に必要なＣＤ格納保険約款を被保険者に迅速に提供することができる。また、ＣＤ格納保険約款は、保険の種類、目次、及びテキストからなるツリー構造で出力されるよう構成される。さらに、ＣＤ格納保険約款は、被保険者が内容の一つを選択すると、音声形式で対応するテキストを自動的に出力するよう構成される。したがって、保険約款のテキストは、目の疲れている人や、弱視などの視覚障害を持つ人によって、正確に理解され得る。
【００１４】
一方、被保険者がインターネットを介して約款提供ウェブサーバにアクセスし、被保険者が新しく加入する新しい保険を選択すると、対応する保険約款は、被保険者がインターネットを介してその約款を読むことができるように、保険データベースから出力され、被保険者に送信される。
【００１５】
図２は、新しいＣＤ格納保険約款を提供する際に、既存の保険約款を含む新しいＣＤ格納保険約款を提供する方法を示すフローチャートである。
【００１６】
被保険者と、約款提供ウェブサーバのオペレータと契約している保険会社との間で保険約定がなされ、保険会社が約款提供ウェブサーバからＣＤ格納保険約款の作成を要求すると、保険会社は、被保険者の個人情報及び保険情報を約款提供ウェブサーバに提供する。約款提供ウェブサーバは、各保険に関する約款情報を格納する保険データベースと、被保険者データベースとを構築する。
【００１７】
その後、保険会社端末からの新しい被保険者の個人情報の入力を通して、ＣＤ格納保険約款の作成が要求されると、被保険者データベースの検索を通して、その新しい被保険者が別の保険に以前加入していたか否かを決定する。新しい被保険者が別の保険に以前加入していたならば、対応する新しい保険約款とともに別の保険の約款をＣＤに格納したＣＤ格納保険約款が、被保険者に提供される。
【００１８】
そのような被保険者がインターネットを介して約款提供ウェブサーバにアクセスし、自らの個人情報を入力すると、約款提供ウェブサーバは、個人情報を有する被保険者が加入している保険約款及び対応する保険の種類を保険データベース及び被保険者データベース内でそれぞれ検索し、被保険者がそれらを読むことができるようにそれらを出力・送信する。
【００１９】
図３は、新しいＣＤ格納保険約款を提供する際に、別の保険会社で以前に作られた保険約款を含む新しいＣＤ格納保険約款を提供する方法を示すフローチャートである。
【００２０】
被保険者と、約款提供ウェブサーバのオペレータと契約している保険会社との間で保険約定がなされ、保険会社が約款提供ウェブサーバからＣＤ格納保険約款の作成を要求すると、保険会社は、被保険者の個人情報及び保険情報を約款提供ウェブサーバに提供する。
【００２１】
約款提供ウェブサーバは、保険に関する約款情報を格納する保険データベースと、被保険者データベースとを構築し、保険約款は、対応する保険を販売している各保険会社に対して別々に保険データベースに格納される。これは、各保険会社に関して一つのＣＤに以前作られたすべての保険約款を別々に格納し、ＣＤ格納保険約款を新しい被保険者に提供するとき、対応する保険会社で以前に作られた別の保険約款と同様に、別の保険会社で以前に作られた別の保険約款を新しい被保険者が有する場合、それらの保険約款を提供するためである。
【００２２】
したがって、保険会社端末からの新しい被保険者の個人情報の入力を通して、ＣＤ格納保険約款の作成が要求されると、被保険者データベースの検索を通して、その新しい被保険者が別の保険に以前加入していたか否か、あるいは、被保険者が別の保険会社で作られた保険約款を持っているか否かを決定する。新しい被保険者が別の保険に以前加入していたか、あるいは、別の保険会社で作られた保険約款を持っているならば、対応する新しい保険約款とともに別の保険の約款あるいは別の保険会社で作られた保険約款をＣＤに格納したＣＤ格納保険約款が、被保険者に提供される。
【００２３】
そのうえ、被保険者がインターネットを介して約款提供ウェブサーバにアクセスし、自らの個人情報を入力すると、約款提供ウェブサーバは、個人情報を有する被保険者が加入している保険約款及び対応する保険の種類を保険データベース及び被保険者データベース内でそれぞれ検索し、保険約款及び対応する保険の種類を出力する。その後、保険会社に応じて分類された保険約款及び対応する保険の種類は、被保険者がそれらを読むことができるように被保険者に送信される。したがって、被保険者は、保険会社の種類にかかわらず、インターネットを介して、被保険者が加入しているすべての保険の保険約款を読むことができる。
【００２４】
一方、販売されていない保険用の約款データベースが、販売された保険の保険データベースとは別に、保険データベース内に構築される。
【００２５】
したがって、新しい保険約定の新しい保険約款を作成するとき、被保険者が販売されていない保険に以前加入していた場合には、販売されていない保険の保険約款は、提供されるＣＤ格納保険約款に含まれる。
【産業上の利用可能性】
【００２６】
上述のように、本発明によれば、以前に作られた保険約款と同様に、新しい保険の約款を作成するときに提供される保険約款が一つのＣＤに格納されている、ＣＤ格納保険約款を提供する。したがって、保険約款は以前に（予め）作成されず、それにより、資源を節約するとともに、コストを削減することができる。保険が変更され、あるいは既に販売されていない場合には、使用されない保険の約款の量を減少させることができる。さらに、複合したサービスを提供することができるように、保険証券、保険契約申込書様式、及び手引き（ガイド）をそのＣＤ内に含めてもよい。
【図面の簡単な説明】
【００２７】
【図１】一つのＣＤに格納される、保険約款、売られている主な保険の約款又はすべての保険の約款を提供する方法を示すフローチャートである。
【図２】新しいＣＤ格納保険約款を提供する際に、既存の保険約款を含む新しいＣＤ格納保険約款を提供する方法を示すフローチャートである。
【図３】新しいＣＤ格納保険約款を提供する際に、対応する新しい保険会社で作られた保険約款と別の保険会社で以前に作られた保険約款を含む新しいＣＤ格納保険約款を提供する方法を示すフローチャートである。
【図１】
2005518029.tif 000003
【図２】
2005518029.tif 000004
【図３】
2005518029.tif 000005
【手続補正書】
【提出日】平成16年10月13日(2004.10.13)
【手続補正１】
【補正対象書類名】特許請求の範囲
【補正対象項目名】全文
【補正方法】変更
【補正の内容】
【特許請求の範囲】
【請求項１】
保険約款を記録するコンピュータに読み取り可能なメディアを被保険者に提供する方法であって、
約款提供ウェブサーバ、被保険者端末、及び保険会社端末がインターネットを介して互いに接続される状態において、前記約款提供ウェブサーバに保険データベースとともに被保険者データベ−スを構築するステップと、
保険会社端末からの新しい被保険者の個人情報の入力を通して、新しい保険プランの保険約款が要求されるとき、該新しい被保険者が別のタイプの保険に加入していたか否かを決定し、その後、前記新しい被保険者が前記別のタイプの保険を所有していたならば、前記新しい被保険者に提供する前記コンピュータに読み取り可能なメディアに、前記別のタイプの保険の保険約款とともに前記新しい保険プランの保険約款を記録するステップと、
前記個人情報を有する前記新しい被保険者が加入していた保険の種類とともに前記新しい保険プランの保険約款を検索し、前記新しい被保険者がインターネットを介して約款提供ウェブサーバにアクセスし、前記個人情報を入力するときに、前記被保険者が前記保険の種類とともに前記新しい保険プランの保険約款を読むことができるようにそれらを出力するステップと、
を有することを特徴とするＣＤ保険約款を供給する方法。
【請求項２】
もはや販売されていない保険プランの約款のデータベースを前記保険データベース内に追加して構築し、それにより、前記もはや販売されていない保険プランの約款を販売済みの保険プランの約款とともに提供することを可能にするステップを更に有する請求項１に記載の方法。
【国際調査報告】
2005518029.tif 000006